(57)【要約】【課題】薄型表示装置において，筐体の背面側へのディスクドライブの着脱機構を備え，ディスクドライブの簡易な着脱及び温度上昇の抑制，並びに装置本体からディスクドライブへの振動伝播の抑制を実現できること。【解決手段】ディスクドライブユニットが内側に保持されて一体となったカバー部材を，映像表示パネルの背面側の外装を形成する背面側筐体に非接触の状態で，その背面側筐体の外側に対して着脱可能に保持させる。前記ディスクドライブユニットは，前記カバー部材に対して弾性部材を介して取り付けられている。【選択図】図４
2010118101.tif 000002
【特許請求の範囲】
【請求項１】
映像表示パネルとその背面側の外装を形成する背面側筐体とディスクドライブユニットとを備えた薄型表示装置であって，
前記ディスクドライブユニットが内側に保持されたカバー部材と，
前記ディスクドライブユニットと一体となった前記カバー部材を前記背面側筐体の外側に対して着脱可能に保持させるカバー部材保持機構と，
を具備してなることを特徴とする薄型表示装置。
【請求項２】
前記ディスクドライブユニットが，前記カバー部材保持機構によって前記背面側筐体に保持された前記カバー部材の内側において前記背面側筐体に非接触の状態で保持されてなる請求項１に記載の薄型表示装置。
【請求項３】
前記ディスクドライブユニットが，前記カバー部材に対して弾性部材を介して取り付けられてなる請求項２に記載の薄型表示装置。
【請求項４】
前記ディスクドライブユニットがブルーレイディスクドライブのユニットである請求項１〜３のいずれかに記載の薄型表示装置。
【発明の詳細な説明】
【技術分野】
【０００１】
本発明は，映像表示パネル及びその背面側の外装を形成する背面側筐体の外側に取り付けられるディスクドライブユニットを備えた薄型表示装置に関するものである。
【背景技術】
【０００２】
昨今，液晶パネル等の映像表示パネルを備えたパネル型表示装置である薄型表示装置は，液晶テレビジョン受像機に代表されるように，薄型化が益々進み，厚みが数十ｍｍ程度のものが一般的となり，厚みが１０ｍｍ未満の製品も提供されつつある。
そして，薄型表示装置は，薄型化によって装置内における部品密度が高くなり，一般に通気性が良くない。そのため，薄型表示装置において，内部温度は７０℃程度まで上昇する場合があり，それに応じて，背面側の外装を形成する筐体の温度は６０℃程度まで上昇する場合がある。
【０００３】
また，昨今の薄型表示装置は，光ディスクドライブやハードディスクドライブなどのディスクドライブが設けられ，光ディスクやハードディスク等の記録メディアに放送番組等のコンテンツを録画する録画機能及び録画データに基づく再生機能を備えるものがある。これにより，録画・再生機能を有するＡＶ（Audio Visual）システム全体の省スペース化が実現される。なお，光ディスクドライブには，ブルーレイディスクドライブやＤＶＤ（Digital Versatile Disc）のドライブ等がある。
また，ディスクドライブは，記録メディアにアクセスするピックアップ部の特性が環境温度に応じて敏感に変化する。そのことから，ディスクドライブは，薄型表示装置における他の部品よりも耐環境温度が低い場合がある。そのため，薄型表示装置においては，それに取り付けられるディスクドライブの熱対策が重要となる。
例えば，特許文献１には，液晶パネルの下方にディスクドライブユニットが内蔵され，液晶パネルとその背面側の基板との間の隙間を通じて熱気流が煙突効果で上昇する構造を備えた液晶テレビジョン受像機について示されている。
また，特許文献２には，液晶パネルの背面側の位置にディスクドライブユニットが内蔵された液晶表示装置について示されている。
また，特許文献３には，装置本体の側面又は下面にディスクドライブが装着された表示装置について示されている。
【特許文献１】特開２００１−３３２０７４号公報
【特許文献２】特開２００５−２６７７７３号公報
【特許文献３】特開２００４−７１１２５号公報
【発明の開示】
【発明が解決しようとする課題】
【０００４】
しかしながら，薄型化の進んだ昨今の薄型表示装置において，特許文献１や特許文献２に示されるように，筐体内にディスクドライブを配置することは非常に困難であるという問題点があった。従って，薄型表示装置は，その筐体の外側にディスクドライブが取り付けられる構造を有することが望ましい。また，薄型表示装置の筐体の外側にディスクドライブが取り付けられる構造は，ディスクドライブの熱対策上も好適である。
また，薄型表示装置におけるディスクドライブ，特に，ブルーレイディスクドライブは，その寿命が他の構成要素の寿命よりも短いことが多いため，修理や交換を容易にするために，装置の筐体の外側に対し極力簡易な作業によって着脱可能に取り付けられることが望ましい。
例えば，薄型表示装置の代表例である液晶表示装置において，最も寿命の短い構成要素である蛍光管は，一般的な寿命が約６０００時間である。また，光ディスクドライブに採用される赤色レーザダイオードの一般的な寿命は１００００時間以上である。
一方，ブルーレイディスクドライブのピックアップ部には，青色レーザダイオードが採用されるが，青色レーザダイオードの一般的な寿命は１０００時間から２０００時間程度と短い。そのため，ブルーレイディスクドライブが薄型表示装置に設けられた場合，薄型表示装置の使用を継続しつつ，ブルーレイディスクドライブを取り外してその修理や交換を行えることが望ましい。なお，画面サイズの大きな薄型表示装置を，ディスクドライブの修理や交換のためにメンテナンス工場等へ移送することは，多大な手間と費用を要するため現実的でない。
また，薄型表示装置におけるディスクドライブは，美観の観点から，装置の背面側に隠して取り付けられることが望ましい。
また，ディスクドライブは，ピックアップ部を高精度で位置決めする制御が重要であることから，薄型表示装置の本体側からの振動の伝播を防止する対策も重要となる。薄型表示装置の本体側の振動源としては，換気ファンやスピーカなどが考えられる。
従って，本発明は上記事情に鑑みてなされたものであり，その目的とするところは，筐体の背面側へのディスクドライブの着脱機構を備え，ディスクドライブの簡易な着脱及び温度上昇の抑制，並びに装置本体からディスクドライブへの振動伝播の抑制を実現できる薄型表示装置を提供することにある。
【課題を解決するための手段】
【０００５】
上記目的を達成するために本発明に係る薄型表示装置は，次の（１）〜（５）に示される各構成要素を備えている。
（１）映像表示パネル。
（２）前記映像表示パネルの背面側の外装を形成する背面側筐体。
（３）ディスクドライブユニット。
（４）前記ディスクドライブユニットが内側に保持されたカバー部材。
（５）前記ディスクドライブユニットと一体となった前記カバー部材を前記背面側筐体の外側に対して着脱可能に保持させるカバー部材保持機構。
なお，前記ディスクドライブユニットの典型例としては，ブルーレイディスクドライブのユニットが考えられる。
【０００６】
前記ディスクドライブユニットは，前記薄型表示装置の筐体に外付けされる場合，その周りに保護用のカバー部材が設けられることが一般的である。ここで，前記ディスクドライブユニットの取り外し手順としては，まず，前記背面側筐体又は前記ディスクドライブユニットから前記カバー部材を取り外し，次に，前記背面側筐体から前記ディスクドライブユニットを取り外すという２段階の手順が考えられる。
しかしながら，背面側が壁面に近接した状態で設置される前記薄型表示装置においては，狭い背面側のスペースにおいて前記ディスクドライブユニットの着脱が行われる場合が多いため，より少ない手順で簡易に前記ディスクドライブユニットを着脱できることが望ましい。
本発明に係る薄型表示装置においては，前記カバー部材保持機構により，前記ディスクドライブユニットと一体となった前記カバー部材を前記背面側筐体の外側に対して取り付ける又は取り外すという１段階の手順により，前記ディスクドライブユニットの着脱が可能となる。
【０００７】
また，前記ディスクドライブユニットが，前記カバー部材保持機構によって前記背面側筐体に保持された前記カバー部材の内側において前記背面側筐体に非接触の状態で保持されていることが望ましい。
これにより，熱や振動が，前記背面側筐体を通じて前記ディスクドライブユニットに伝達されにくく，前記ディスクドライブの温度上昇及び振動を防止できる。
例えば，前記背面側筐体と前記ディスクドライブユニットとの間の隙間（空気の層）が断熱層となり，その断熱層が高温な装置内部から前記ディスクドライブユニットへの熱伝達を遮る。
また，装置本体に設けられた換気ファンやスピーカ等の振動源らの振動は，前記背面側筐体から前記カバー部材へ伝播される過程で大きく減衰し，前記ディスクドライブユニットへの伝播が抑制される。
しかも，前記ディスクドライブユニットと一体となった前記カバー部材を前記背面側筐体に取り付けるという簡易な作業により，前記ディスクドライブユニットにおける振動及び温度上昇の抑制効果が得られる。
特に，前記ディスクドライブユニットが，前記カバー部材に対して弾性部材を介して取り付けられていれば，前記カバー部材から前記ディスクドライブユニットへの振動伝播の抑制効果がさらに高まりなお好適である。
【０００８】
また，前記カバー部材保持機構が，次の２つの構成要素を備えることが考えられる。
・前記カバー部材に設けられ，前記背面側筐体に係合することにより前記カバー部材を前記背面側筐体に保持させる係合爪。
・前記係合爪により前記背面側筐体に保持された前記カバー部材を前記背面側筐体に固定するビス。
これにより，前記係合爪によって前記カバー部材が前記背面側筐体に保持された状態で，前記ビスの着脱による前記カバー部材の固定及びその固定の解除を行うことができる。その結果，前記ディスクドライブユニットが一体となった前記カバー部材を片手で支えることなく前記ビスの着脱が可能となり，前記カバー部材の着脱作業が容易となる。
また，前記カバー部材が，前記ディスクドライブユニットを支持し，前記カバー部材保持機構により前記背面側筐体に保持される第１のカバー部材と，該第１のカバー部材に対して着脱可能に連結され，前記ディスクドライブユニットに着脱されるハーネスを覆う第２のカバー部材とを備えれば好適である。
これにより，前記第１のカバー部材を介して前記背面側筐体に保持された前記ディスクドライブユニットに対し，前記ハーネスを容易に着脱することができる。
【発明の効果】
【０００９】
本発明によれば，薄型表示装置において，その筐体の背面側へのディスクドライブの着脱機構により，ディスクドライブの簡易な着脱及び温度上昇の抑制，並びに装置本体からディスクドライブへの振動伝播の抑制が可能となる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る薄型表示装置の一例である液晶テレビジョン受像機Ｘの背面側からの斜視図，図２は液晶テレビジョン受像機Ｘにおけるディスクドライブユニット装着部の正面図（一部透視図），図３は液晶テレビジョン受像機Ｘにおけるディスクドライブユニット装着部の第１の断面図（一部透視図），図４は液晶テレビジョン受像機Ｘにおけるディスクドライブユニット装着部の展開図，図５は液晶テレビジョン受像機Ｘにおけるディスクドライブユニット装着部の第２の断面図（一部透視図），図６はサブカバー部材が取り外されたディスクドライブユニット装着部の断面図，図７はサブカバー部材が取り外されたディスクドライブユニット装着部の正面図，図８はディスクドライブユニットが取り外されたディスクドライブユニット装着部の断面図，図９はディスクドライブユニットが取り外されたディスクドライブユニット装着部の正面図である。
【００１１】
まず，図１に示される斜視図を参照しつつ，本発明の実施形態に係る薄型表示装置の一例である液晶テレビジョン受像機Ｘの外観について説明する。
前記液晶テレビジョン受像機Ｘは，その前面側に映像表示用の液晶パネル１を備え，その背面側には外装を形成する筐体１０が設けられている。その筐体１０のことを，以下，背面側筐体１０と称する。
さらに，前記液晶テレビジョン受像機Ｘは，前記背面側筐体１０の外側，即ち，背面側に取り付けられるディスクドライブユニット２１を備えている。図１に示される例では，前記ディスクドライブユニット２１は，前記背面側筐体１０の上下方向におけるほぼ中央から上方側に配置されている。以下，前記背面側筐体１０における前記ディスクドライブユニット２１が装着される部分のことを，ディスクドライブユニット装着部と称する。
また，前記ディスクドライブユニット２１の外側には，それを覆うカバー部材２２が設けられている。
前記ディスクドライブユニット２１は，例えば，箱形の筐体に収容されてユニット化されたブルーレイディスクドライブやＤＶＤドライブなどであり，前記液晶テレビジョン受像機Ｘの側面側からデータ記録媒体であるディスクが着脱される。
薄型の前記液晶テレビジョン受像機Ｘにおいて，前記背面側筐体１０は，前記液晶パネル１を照明するバックライトやそのバックライトに電力を供給するインバータ回路などの装置内部の部品から発生する熱が伝わり，高温になりやすい部材である。
また，前記背面側筐体１０は，装置内部に設けられた換気ファンや，前記液晶パネル１の周囲の枠部などに設けられたスピーカなどの振動源からの振動が伝わる部材でもある。
【００１２】
次に，図２〜図５を参照しつつ，前記ディスクドライブユニット２１の保持機構について説明する。なお，図３は，前記ディスクドライブユニット装着部を下方側から，即ち，図２に示されるＲ１の方向から見た断面図である。また，図４及び図５は，前記ディスクドライブユニット装着部を前記液晶テレビジョン受像機Ｘの側面方向から，即ち，図２に示されるＲ２の方向から見た展開図及び断面図である。
【００１３】
前記液晶テレビジョン受像機Ｘは，前記ディスクドライブユニット２１が内側に取り付けらて保持された前記カバー部材２２を備えている。
前記カバー部材２２は，メインカバー部材２２．１とサブカバー部材２２．２との２つの独立した部材に区分されており，それらがビス３２により連結されて一体となる。
前記メインカバー部材２２．１は，主として前記ディスクドライブユニット２１を覆う部材であり，前記サブカバー部材２２．２は，不図示の装置内部の電子基板や電源基板と前記ディスクドライブユニット２１とを接続するハーネス４０の部分を主として覆う部材である。
前記ディスクドライブユニット２１は，前記メインカバー部材２２．１に支持される。即ち，前記メインカバー部材２２．１は，前記ディスクドライブユニット２１を支持し，後述する係合爪２６及びビス３１によって前記背面側筐体１０に保持される部材である。
また，図２及び図３に示されるように，前記サブカバー部材２２．２には，前記ビス３２が挿通される孔２２ｄが設けられ，前記メインカバー部材２２．１には，前記ビス３２が螺着されるビス受部２２ｃが突設されている。そして，前記メインカバー部材２２．１と前記サブカバー部材２２．２とは，前記孔２２ｄに挿通され前記ビス受部２２ｃに螺着された前記ビス３２により共締めされて連結される。即ち，前記サブカバー部材２２．２は，前記ビス３２によって前記メインカバー部材２２．１に対して着脱可能に連結され，前記ディスクドライブユニット２１に着脱される前記ハーネス４０を覆う部材である。
【００１４】
また，図４に示されるように，前記ディスクドライブユニット２１は，取付金具２３を介して，ビス２４，２５により前記メインカバー部材２２．１の内側に取り付けられる。このように，前記ディスクドライブユニット２１は，前記メインカバー部材２２．１の内側に保持される。即ち，前記ディスクドライブユニット２１は，前記背面側筐体１０に取り付けられる前に前記メインカバー部材２２．１に取り付けられ，そのメインカバー部材２２．１と一体となっている。
図４に示される例では，前記ディスクドライブユニット２１に対して前記取付金具２３が前記ビス２４によって固定される。また，その取付金具２３が，前記ビス２５によって前記メインカバー部材２２の一部であるビス受部２２ａに固定される。
また，前記取付金具２３と前記ビス受部２２ａとの間には，ゴム部材やウレタン部材などの緩衝用の弾性部材２８が挟み込まれている。即ち，前記ディスクドライブユニット２１は，前記メインカバー部材２２．１に対して前記弾性部材２８を介して取り付けられている。
【００１５】
そして，前記ディスクドライブユニット２１と一体となった前記メインカバー部材２２．１が，ビス３１によって前記背面側筐体１０に取り付けられる。図４に示される例では，前記メインカバー部材２２．１に貫通孔を有する厚肉部２２ｂが形成されており，その厚肉部２２ｂの貫通穴に挿通させた前記ビス３１により，前記カバー部材２２が前記背面側筐体１０に固定される。また，前記背面側筐体１０には，前記ビス３１が挿通されるビス孔１３及びそのビス３１が螺着されるビス受部１２が設けられている。
即ち，前記ビス３１及び前記ビス受部１２が，前記ディスクドライブユニット２１と一体となった前記メインカバー部材２２．１を前記背面側筐体１０の外側に対して着脱可能に保持させるカバー部材保持機構の一例である。このように，前記液晶テレビジョン受像機Ｘは，前記ディスクドライブユニット２１と一体となった前記メインカバー部材２２．１を前記背面側筐体１０に対して取り付ける又は取り外すというわずか１段階の手順により，前記ディスクドライブユニット２１の着脱が可能である。なお，本実施形態においては，前記ディスクドライブユニット２１の着脱に伴い，さらに，前記メインカバー部材２２．１に対する前記サブカバー部材２２．２の着脱も必要となるが，その着脱に要する作業は，１箇所の前記ビス３２の取り付け又は取り外しの作業のみであるため極めて容易である。
【００１６】
また，図３及び図５に示されるように，前記ディスクドライブユニット２１は，前記ビス３１及び前記ビス受部１２によって前記背面側筐体１０に保持された前記メインカバー部材２２．１の内側において前記背面側筐体１０に対して非接触の状態で保持される。即ち，前記ディスクドライブユニット２１は，前記メインカバー部材２２．１内に吊り下げられた状態で保持される。これにより，前記ディスクドライブユニット２１と前記背面側筐体１０との間に隙間が形成される。これにより，装置本体側の熱や振動が，前記背面側筐体１０を通じて前記ディスクドライブユニット２１に伝達されにくく，前記ディスクドライブユニット２１の温度上昇及び振動を防止できる。
例えば，前記背面側筐体１０と前記ディスクドライブユニット２１との間の隙間，即ち，空気の層が断熱層となり，その断熱層が高温な装置内部から前記ディスクドライブユニット２１への熱伝達を遮る。
ここで，前記背面側筐体１０は樹脂製であるため，その熱伝達率は１．５［Ｗ／(ｍ・Ｋ)］程度である。一方，前記空気の層の熱伝達率は０．０２［Ｗ／(ｍ・Ｋ)］程度である。従って，前記空気の層の介在により，前記ディスクドライブユニット２１が前記背面側筐体１０へ接する場合に比べ，前記背面側筐体１０から前記ディスクドライブユニット２１への熱伝達をほぼ無視できる。
また，装置本体に設けられた換気ファンやスピーカ等の振動源らの振動は，前記背面側筐体１０から前記メインカバー部材２２．１へ伝播される過程で大きく減衰し，前記メインカバー部材２２．１から前記ディスクドライブユニット２１へ伝播される過程で前記弾性部材２８によってさらに減衰する。そのため，前記背面側筐体１０からの振動は，ほとんど前記ディスクドライブユニット２１へ伝播しない。なお，図２〜図５に示される例では，前記ディスクドライブユニット２１と前記メインカバー部材２２．１との間に，それらと共振周波数が異なる部材である前記取付金具２３が介在することも，振動の減衰に寄与する。
しかも，前記ディスクドライブユニット２１と一体となった前記メインカバー部材２２．１を前記背面側筐体１０に取り付けるという簡易な作業により，前記ディスクドライブユニット２１における振動及び温度上昇の抑制効果が得られる。
【００１７】
また，図２及び図３に示されるように，前記メインカバー部材２２．１には，前記背面側筐体１０に設けられた係合孔１４に対して係合する係合爪２６が突設されている。図２及び図３に示される前記係合爪２６は，スライド式の係合爪である。即ち，スライド式の前記係合爪２６は，それが前記係合孔１４に挿入された状態で前記メインカバー部材２２．１が前記背面側筐体１０の表面に平行な方向へスライドされることにより，前記係合孔１４に対して係合したり，その係合が解除したりする。前記係合爪２６が前記係合孔１４に係合した状態においては，前記ビス３１が取り外されても前記メインカバー部材２２．１が前記背面側筐体１０に保持された状態が維持される。
また，図２及び図３に示されるように，前記サブカバー部材２２．２には，前記背面側筐体１０に設けられた嵌入孔１５に嵌入する嵌入爪２７が突設されている。前記嵌入爪２７は，前記サブカバー部材２２．２を前記背面側筐体１０に対して位置決めするための爪である。また，前記嵌入爪２７は，前記サブカバー部材２２．２の前記背面側筐体１０の表面に平行な方向における動きを規制する爪でもある。
【００１８】
また，図４に示されるように，前記背面側筐体１０には，前記カバー部材２２，即ち，前記メインカバー部材２２．１及び前記サブカバー部材２２．２が嵌合する嵌合用の窪み１１が形成されている。
これにより，前記ディスクドライブユニット２１と一体となった前記カバー部材２２は，前記嵌合用の窪み１１への嵌合によって位置決めされる。その結果，前記背面側筐体１０に対する前記カバー部材２２の取り付けが容易となる。また，前記カバー部材２２の前記嵌合用の窪み１１への嵌合機構により，外部の粉塵が前記ディスクドライブユニット２１内へより浸入しにくい構造となっている。
【００１９】
続いて，図６〜図９を参照しつつ，前記ディスクドライブユニット２１の取り外し手順について説明する。
まず，作業者は，図６に示されるように，ドライバを用いて前記メインカバー部材２２．１と前記サブカバー部材２２．２とを連結する前記ビス３２を取り外すことにより，前記メインカバー部材２２．１から前記サブカバー部材２２．２を取り外す。
そうすると，図７に示されるように，前記ハーネス４０及びその先端に設けられたコネクタ４１が露出する状態となる。前記コネクタ４１は，前記ディスクドライブユニット２１の側面部に装着されている。
次に，作業者は，前記ディスクドライブユニット２１から前記コネクタ４１を外す。このように，前記液晶テレビジョン受像機Ｘにおいては，前記ディスクドライブユニット２１と一体となった前記メインカバー部材２２．１に対し，前記ハーネス４０を覆う前記サブカバー部材２２．２が着脱可能に構成されている。その結果，前記サブカバー部材２２．２が取り外された状態において，前記メインカバー部材２２．１を介して前記背面側筐体１０に保持された前記ディスクドライブユニットに対し，前記ハーネス４０の着脱が可能である。
【００２０】
次に，作業者は，ドライバを用いて前記メインカバー部材２２．１から前記ビス３１を取り外す。このように，前記ビス３１が取りはずされても，前記係合爪２６により，前記メインカバー部材２２．１が前記背面側筐体１０に保持された状態が維持される。
前記メインカバー部材２２．１は，その寸法が約２００ｍｍ四方程度もある。また，前記ディスクドライブユニット２１と一体となった前記メインカバー部材２２．１は，その重量が１０００ｇ程度もある。そのため，作業者が，前記ディスクドライブユニット２１と一体となった前記メインカバー部材２２．１を支えながら前記ビス３１を取り外す作業は容易ではない。これに対し，前記液晶テレビジョン受像機Ｘにおいては，前記係合爪２６の作用により，作業者は，前記ビス３１の取り付け及び取り外しの際に，前記メインカバー部材２２．１を片手で支えておく必要がなく，容易に前記ビス３１を着脱できる。
また，仮に，前記サブカバー部材２２．２の着脱機構が設けられていない場合，作業者は，前記ディスクドライブユニット２１と一体となった前記メインカバー部材２２．１を支えながら，前記ビス３１の着脱と，前記ディスクドライブユニット２１に対する前記ハーネス４０の着脱とを行う必要がある。そのような作業は，非常に不安定な作業であり，前記ハーネス４０の破損などの原因となりやすい。
一方，前記液晶テレビジョン受像機Ｘにおいては，前記サブカバー部材２２．２の着脱機構が設けられているため，前記メインカバー部材２２．１を介して前記背面側筐体１０に保持された前記ディスクドライブユニット２１に対し，前記ハーネス４０を容易に着脱できる。
【００２１】
最後に，作業者は，前記メインカバー部材２２．１を前記背面側筐体１０の表面に平行な方向へスライドさせて前記係合爪２６の係合を解除し，前記ディスクドライブユニット２１と一体となった前記メインカバー部材２２．１を前記背面側筐体１０から取り外す。
図９は，前記メインカバー部材２２．１が取り外された後の前記ディスクドライブユニット装着部の正面図，即ち，前記液晶テレビジョン受像機Ｘの背面側から見た図である。
なお，前記ディスクドライブユニット２１と一体となった前記メインカバー部材２２．１を前記背面側筐体１０に取り付ける手順は，以上に示した取り外しの手順と逆の手順を行えばよい。
以上に示したように，液晶テレビジョン受像機Ｘにおいては，前記ディスクドライブユニット２１の簡易な着脱及び温度上昇の抑制と，装置本体から前記ディスクドライブユニット２１への振動伝播の抑制とが実現される。
【００２２】
なお，図３及び図８等に示される例では，スライド式の前記係合爪２６は，前記メインカバー部材２２．１を前記サブカバー部材２２．２が連結される側と反対側へスライドさせることにより前記係合孔１４との係合が解除され，前記サブカバー部材２２．２が連結される側へスライドさせることにより前記係合孔１４と係合するものであったが，その他の実施例も考えられる。
例えば，スライド式の前記係合爪２６が，前記メインカバー部材２２．１を前記サブカバー部材２２．２が連結される側へスライドさせることにより前記係合孔１４との係合が解除され，前記サブカバー部材２２．２が連結される側と反対側へスライドさせることにより前記係合孔１４と係合するものであってもよい。この場合，前記サブカバー部材２２．２の前記嵌入爪２７が前記嵌入孔１５へ嵌入され，さらに，前記ビス３２により前記サブカバー部材２２．２が前記メインカバー部材２２．１に連結されることにより，前記メインカバー部材２２．１及び前記サブカバー部材２２．２の全体が，前記背面側筐体１０に対して固定される。従って，前記メインカバー部材２２．１を固定するための前記ビス３１及びそれが螺着される前記ビス受部１２を省略することもできる。但し，その場合，前記係合爪２６に若干の弾性を持たせるなどして前記係合爪２６と前記係合孔１４との間に隙間（いわゆる，あそび）が生じないようにする必要がある。
【産業上の利用可能性】
【００２３】
本発明は，液晶テレビジョン受像機などの薄型表示装置への利用が可能である。
【図面の簡単な説明】
【００２４】
【図１】本発明の実施形態に係る薄型表示装置の一例である液晶テレビジョン受像機Ｘの背面側からの斜視図。
【図２】液晶テレビジョン受像機Ｘにおけるディスクドライブユニット装着部の正面図（一部透視図）。
【図３】液晶テレビジョン受像機Ｘにおけるディスクドライブユニット装着部の第１の断面図（一部透視図）。
【図４】液晶テレビジョン受像機Ｘにおけるディスクドライブユニット装着部の展開図。
【図５】液晶テレビジョン受像機Ｘにおけるディスクドライブユニット装着部の第２の断面図（一部透視図）。
【図６】サブカバー部材が取り外されたディスクドライブユニット装着部の断面図。
【図７】サブカバー部材が取り外されたディスクドライブユニット装着部の正面図。
【図８】ディスクドライブユニットが取り外されたディスクドライブユニット装着部の断面図。
【図９】ディスクドライブユニットが取り外されたディスクドライブユニット装着部の正面図。
【符号の説明】
【００２５】
Ｘ    ：液晶テレビジョン受像機
１    ：液晶パネル
１０  ：背面側筐体
１１  ：嵌合用の窪み
１２  ：ビス受部
１３  ：ビス孔
１４  ：係合孔
１５  ：嵌入孔
２１  ：ディスクドライブユニット
２２  ：カバー部材
２２．１：メインカバー部材
２２．２：サブカバー部材
２２ａ，２２ｃ：ビス受部
２２ｂ：厚肉部
２３  ：取付金具
２４，２５，３１，３２：ビス
２６  ：係合爪
２７  ：嵌入爪
２８  ：弾性部材
４０  ：ハーネス
４１  ：コネクタ
【図１】
2010118101.tif 000003
【図２】
2010118101.tif 000004
【図３】
2010118101.tif 000005
【図４】
2010118101.tif 000006
【図５】
2010118101.tif 000007
【図６】
2010118101.tif 000008
【図７】
2010118101.tif 000009
【図８】
2010118101.tif 000010
【図９】
2010118101.tif 000011